Podtech/llm-jp-corpus-v4-ja_patent huggingface dataset:
(57)【要約】【課題】  台車下面の前後４隅にキャスタを備えた搬送台車の蛇行を防止し台車に直進性を持たせた搬送台車を提供する。【解決手段】  台車下面の前後４隅にキャスタ２を備えた搬送台車１において、前記前後のキャスタ２間の台車下面に前後方向に延在するガイドレール３を設け、このガイドレール３に前記キャスタ２との接地面のレベル差Ｈを設けるようにした固定車輪４をスライド可能に案内し、常に搬送台車１の進行方向が前側となるキャスタ２と後側となる前記固定車輪４とにて接地走行するようにした。【選択図】        図１
2006076330.tif 000002
【特許請求の範囲】
【請求項１】
台車下面の前後４隅にキャスタを備えた搬送台車において、前記前後のキャスタ間の台車下面に前後方向に延在するガイドレールを設け、このガイドレールに前記キャスタとの接地面のレベル差を設けるようにして固定車輪をスライド可能に案内し、常に搬送台車の進行方向が前側となるキャスタと後側となる前記固定車輪とにて接地走行するようにしたことを特徴とする搬送台車。
【発明の詳細な説明】
【技術分野】
【０００１】
本発明は、方向自在車輪であるキャスタを備えたに関するものである。
【背景技術】
【０００２】
各種の工作物や部品等の運搬するために図４で示すように、台車下面の前後４隅にキャスタ２と前後進駆動ユニット５備えた前後進型の搬送台車１が用いられている。この前後進型の搬送台車１は前後４輪のキャスタ２によって方向性が自在である利便性を有しているが、自動走行での直進の場合には搬送台車１の進行によって後側となるキャスタ２のフラツキにより尻振りによって蛇行し走行誘導線から脱落する。また、前記蛇行による搬送台車１の停止時の台車角度にバラツキが生じて運搬物の自動積み降ろしが困難となる問題点があった。
【０００３】
また、手押し台車では、走行時の蛇行防止のために、進行方向に対して後側のキャスタの方向自在性を規制するメカストッパを備えた搬送台車が用いられているが、前進方向は直進性が得られるものの戻り時はＵターンさせる必要があり、狭い通路ではＵターンができず、使用には広い通路面積に限られるという問題点があった。
【特許文献１】特開平０９−０３９９６９公報
【特許文献２】特開２００１−１３０２０４公報
【特許文献３】特開２００１−２３３２１９公報
【発明の開示】
【発明が解決しようとする課題】
【０００４】
本発明の目的は、台車下面の前後４隅にキャスタを備えた搬送台車の蛇行を防止し台車に直進性を持たせた搬送台車を提供することである。
【課題を解決するための手段】
【０００５】
上記の目的を達成するための本発明は、請求項１に記載の通り、台車下面の前後４隅にキャスタを備えた搬送台車において、前記前後のキャスタ間の台車下面に前後方向に延在するガイドレールを設け、このガイドレールに前記キャスタとの接地面のレベル差を設けるようにして固定車輪をスライド可能に案内し、常に搬送台車の進行方向が前側となるキャスタと後側となる前記固定車輪とにて接地走行するようにしたことを特徴とするものである。
【発明の効果】
【０００６】
本発明によると、搬送台車の前後進何れにおいても、搬送台車の進行方向により後側となるキャスタ側に固定車輪がガイドレールを介してスライドして近接し、台車の蛇行を発生させるする後側のキャスタを前記固定車輪との接地面のレベル差によって接地面から浮上させ、後側にスライドした固定車輪と前側のキャスタとによって台車の蛇行を防止した状態で走行が得られる効果を有している。
【発明を実施するための最良の形態】
【０００７】
以下本発明を実施するための最良の形態について図面に基づいて説明する。図１及び図２において、１は搬送台車であり、台車下面の前後４隅には方向自在車輪であるキャスタ２を備えている。
【０００８】
本発明は、前記前後のキャスタ２間の台車下面に前後方向に延在するガイドレール３を設け、このガイドレール３に前記キャスタ２との接地面のレベル差Ｈを設けるようにして固定車輪４をスライド可能に案内したものである。尚、キャスタ２と固定車輪４との接地面のレベル差Ｈを設けるための手段としては、例えば、固定車輪４の径をキャスタ２より少し大きくしたり、固定車輪４のとキャスタ２とを同径とし、固定車輪４を案内するガイドレール３の取り付け高さ位置を調整する等である。
【０００９】
前記ガイドレール３は、固定車輪４のスライド性を良好にするために、例えば、商品名ＬＭガイドの直線移動用のボールベアリング構造によるものが好ましい。
【００１０】
本発明は、手押しの搬送台車でもよいが図示のように前後進駆動ユニット５備えた搬送台車１に適用することが効果的である。
【００１１】
上記の構造よりなる本発明の動作について図２及び図３に基づいて説明する。図２は搬送台車１の後進時を示す。この場合、図２において搬送台車１の右側を前方にして進行することになる。そこで、搬送台車１の右側を前方にして進行することにより固定車輪４はガイドレール３に案内されて搬送台車１の左側である進行方向に対して後側となるキャスタ２側にスライドして、そのキャスタ２に近接して位置する。
【００１２】
固定車輪４が近接した後側となるキャスタ２は、図１で示すように、キャスタ２を接地面から例えば、５ｍｍほどのレベル差Ｈで浮上させる。
【００１３】
これにより、搬送台車１は進行方向に対して後側の固定車輪４と前側のキャスタ２とによって進行するが、搬送台車１の進行方向に対して後側のキャスタ２は接地面から浮上しているためフラツキによる尻振り現象がなくなり搬送台車１の蛇行を防止して走行するのである。
【００１４】
図３は搬送台車１の前進時を示す。この場合、図３において搬送台車１の左側を前方にして進行することになる。この搬送台車１の左側を前方にして進行することにより固定車輪４はガイドレール３に案内されて搬送台車１の右側である進行方向に対して後側となるキャスタ２側にスライドして、そのキャスタ２に近接して位置する。
【００１５】
これにより、前述のように、固定車輪４が近接した後側となるキャスタ２は、図１で示すように、キャスタ２を接地面から例えば、５ｍｍほどのレベル差Ｈで浮上させ、後側のキャスタ２のフラツキによる尻振り現象がなくなり搬送台車１の蛇行を防止して走行するのである。
【００１６】
このように本発明は、前後進時における搬送台車１の蛇行を防止するため、走行誘導線から脱落を阻止し、搬送台車１の停止時の台車角度にバラツキがなくなり運搬物の自動積み降ろしが容易となる。また、戻り時の搬送台車１のＵターンも不要となる。
【００１７】
このような格別な作用効果を有する本発明は、簡単な構造のスライド式固定車輪を追加するだけで実現できるため、在来の搬送台車にも低コストで装備することができる。
【図面の簡単な説明】
【００１８】
【図１】本発明の搬送台車の側面図
【図２】本発明の搬送台車の後進時の底面図
【図３】本発明の搬送台車の前進時の側面図
【図４】従来の搬送台車の平面図
【符号の説明】
【００１９】
１    搬送台車
２    キャスタ
３    ガイドレール
４    固定車輪
５    前後進駆動ユニット
【図１】
2006076330.tif 000003
【図２】
2006076330.tif 000004
【図３】
2006076330.tif 000005
【図４】
2006076330.tif 000006
(57)【要約】【課題】小物のプレゼントをメッセージとともに送ることができるポストカード等に好適に使用されるカード体を提供する。【解決手段】複数層の離脱可能な積層構造であって、その中間層３が各種物品３２ａ、３２ｃを切り抜き状態において収納するカード体。【選択図】  図３
2006076272.tif 000002
【特許請求の範囲】
【請求項１】
複数層の離脱可能な積層構造であって、その中間層が各種物品を切り抜き状態において収納してなることを特徴とするカード体。
【請求項２】
請求項１記載のカード体よりなるポストカード。
【発明の詳細な説明】
【技術分野】
【０００１】  この発明は、ポストカードやプレゼントカード等として使用されるカード体に関する。
【背景技術】
【０００２】  現状のポストカードの機能はメッセージを伝えるのが主である。したがって、友人や顧客等にメッセージに加えて小物のプレンゼントを行ないたい場合にはカードと別途郵送しなければならない。
【発明の開示】
【発明が解決しようとする課題】
【０００３】  この発明では、小物のプレゼント等をメッセージとともに送ることができるポストカード等に好適に使用されるカード体を提供することを目的とする。
【課題を解決するための手段】
【０００４】  この発明では、複数層の離脱可能な積層構造であって、その中間層が各種物品を切り抜き状態において収納するカード体を提供する。【０００５】  上記構成によれば、積層構造を離脱させた中間層から各種物品を取り出すことができ、これにより、ポストカードやプレゼントカード等をプレゼント用の物品等を一体として送ることが可能となる。とくに、その構造において、物品が内部に直接納められることなく中間層に切り抜き状態とされて納められているので、カード体は凸凹のないポストカードやプレゼントカードに好適な形状に保たれ、また、物品の保持も安定して行なわれる。さらに、製造に際し、物品を内部に直接に納める場合は、物品のカード体内への配置作業に非常に手間がかかるが、中間層として単に積層して納められることで、その手間が省略される。
【発明の効果】
【０００６】  この発明によれば、ポストカードやプレゼントカードと一体にプレゼント用等の物品を送ることができるようになる。また、カード体は、物品の収納が安定しておこなわれ、製造容易に得られる点において非常に実用性に優れる。
【発明を実施するための最良の形態】
【０００７】  図１はこの発明のカード体の第１の実施形態であるポストカードの表面図、図２は同裏面図、図３は図２のＡ−Ａ断面図である。なお、図３はその構成が明瞭に把握できるように各層の厚みを大きく描いている。【０００８】  ポストカード１は３層構造で、表層２、中間層３、裏層４とが粘着剤により互いに貼り付けられることで離脱可能に一体とされている。表層２は紙もしくは不透明なプラスチックフィルムよりなり、その上面２１は一般のポストカードと同様に宛て先等の記載面となっている。【０００９】  中間層３は１ｍｍ程度の厚みのある透明のプラスチックシートよりなり、その中間層３には、図４に示すように、複数の物品３２ａ、３２ｂ、３２ｃのそれぞれが切り抜き状態において収納されている。上記物品３２ａは定規、３２ｂ、３２ｃのそれぞれはクリップである。【００１０】  裏層４は表層２と同様に紙もしくは不透明なプラスチックフィルムよりなり、その下面４１は一般のポストカードと同様に文面の記載面となっている。【００１１】  上記ポストカード１は、表層２、中間層３、裏層４の３層が一体とされた状態において一般のポストカードと同様に郵送され、受け取った者は表層２、裏層４の記載内容を読み取ることができ、さらに、中間層３から表層２、裏層４のそれぞれを剥してその物品３２ａ、３２ｂ、３２ｃを切り抜き使用できる。裏層４として透明のものを使用すれば、送る者が物品３２ａ、３２ｂ、３２ｃを直接に見て選択できるものとなる。また、上記物品３２ａ、３２ｂ、３２ｃをキャラクター形状にしたり、また、プラモデルの組立用片とすることで、子供へのプレゼント用として最適なものとなる。【００１２】  図５、図６は中間層３の他の実施形態を示し、図５で示すものは中間層３として和紙や不織布が使用され、物品３２ｄそれぞれとして「しおり」が切り抜き状態で収納されている。なお、中間層３として厚紙を用いれば全体をジグソーパズル形態とできる。図６で示すものは、中間層３として磁石粉末が混入成形されたマグネットシートが使用され、物品３２ｅとしてメモ貼り付け片が切り抜き状態で収納されている。このポストカード１は宣伝広告用として使用され、中間層３面の物品３２ｅの存在しない位置には適宜の広告内容が表示されている。中間層３としては、さらに薄い金属製プレートを用いることができ、その場合物品として衣服等に貼り付け使用される意匠性に富んだメタルワッペンが得られる。
【図面の簡単な説明】
【図１】  この発明の実施形態の表面図
【図２】  この発明の実施形態の裏面図
【図３】  図２のＡ−Ａ断面図
【図４】  この発明の実施形態の中間層面図
【図５】  この発明の実施形態の変形例の中間層面図
【図６】  この発明の実施形態の変形例の中間層面図
【符号の説明】
１  ポストカード（カード体）
２  表層
３  中間層
４  裏層
３２ａ  物品
３２ｂ  物品
３２ｃ  物品
３２ｄ  物品
３２ｅ  物品
【図１】
2006076272.tif 000003
【図２】
2006076272.tif 000004
【図３】
2006076272.tif 000005
【図４】
2006076272.tif 000006
【図５】
2006076272.tif 000007
【図６】
2006076272.tif 000008
(57)【要約】【課題】  性能の向上した多層パイプを提供する。【解決手段】  自動車用流体を輸送するための多層パイプであって、  ポリアミド製の内部層(1)、  ポリアミドとポリオレフィンの混合物をベースとする中間層(2)、及び  ポリエーテル−エーテルをベースとする熱可塑性エラストマー材料製の外部層(3)を含むことを特徴とするパイプ。【選択図】      図１
2006076300.tif 000002
【特許請求の範囲】
【請求項１】
自動車用流体を輸送するための多層パイプであって、
ポリアミド製の内部層(1)、
ポリアミドとポリオレフィンの混合物をベースとする中間層(2)、及び
ポリエーテル−エーテルをベースとする熱可塑性エラストマー材料製の外部層(3)
を含むことを特徴とするパイプ。
【請求項２】
前記中間層(2)のポリオレフィンがポリエチレンであることを特徴とする、請求項１記載の多層パイプ。
【請求項３】
内部層(1)に用いるポリアミドがポリアミド６であることを特徴とする、請求項１又は２記載の多層パイプ。
【請求項４】
内部層(1)と中間層(2)の間に配置され、これら２つの層の材料に対して接着性を有する結合層(4)を含むことを特徴とする、請求項１〜３のいずれか１項に記載の多層パイプ。
【請求項５】
中間層(2)と外部層(3)の間に配置され、これら２つの層の材料に対して接着性を有する結合層(5)を含むことを特徴とする、請求項１〜４のいずれか１項に記載の多層パイプ。
【請求項６】
内部層(1)が0.2mm〜0.5mmの厚さを有することを特徴とする、請求項１〜５のいずれか１項に記載の多層パイプ。
【請求項７】
中間層(2)が0.2mm〜0.5mmの厚さを有することを特徴とする、請求項１〜６のいずれか１項に記載の多層パイプ。
【請求項８】
外部層(3)が0.2mm〜0.4mmの厚さを有することを特徴とする、請求項１〜７のいずれか１項に記載の多層パイプ。
【請求項９】
結合層(4)又は(5)が約0.1mmの厚さを有することを特徴とする、請求項４又は５に記載の多層パイプ。
【発明の詳細な説明】
【技術分野】
【０００１】
本発明は、自動車用流体を輸送するための、詳細には燃料を輸送するためのパイプに関する。
【背景技術】
【０００２】
熱可塑性材料をベースとした様々な単層もしくは多層パイプがある。単層構造体としては、コストが高いが広範囲に用いられているポリアミド１１もしくはポリアミド１２製のものが知られている。
【０００３】
現在、環境への関心が高まっており、自動車製造者が従わなければならない法的規制（例えば欧州指令(European Directive) EURO 2004）の主題を構成している。さらに、技術の発達はこの種のパイプがうける使用条件を厳しくしており、詳細には車両のエンジン室へ設置するようなことである。従って、例えば現在のエンジンは高温で作動しており、エンジン室に設置されたパイプは約125℃の温度に連続して耐えなければならない。さらに、パイプは外部からの攻撃、特にパイプの外面と接触する物質（例えば潤滑剤（特にオイル）、洗浄液（特にフロントガラス洗浄液）、氷、塩化亜鉛等用の物質）との化学的相互作用に耐えなければならない。パイプの一般的性能は様々な制約に対する妥協の結果である。
【０００４】
【特許文献１】米国特許第３５６１４９３号明細書
【発明の開示】
【発明が解決しようとする課題】
【０００５】
不幸にも、熱可塑性材料をベースとする公知の構造体は一般に、これらの新規な制約にうまく適合していない。
【課題を解決するための手段】
【０００６】
本発明は自動車用流体を輸送するための多層パイプを提供し、このパイプは
ポリアミド製の内部層、
ポリアミドとポリオレフィンの混合物をベースとする中間層、及び
ポリエーテル−エーテルをベースとする熱可塑性エラストマー材料製の外部層
を含む。
【０００７】
この構造は、燃料のような自動車用流体に対して透過性が低く、また自動車の使用の際に接触する物質、特にオイル、塩化亜鉛、フロントガラス洗浄液、燃料等に対する耐性が高い。本発明のパイプは125℃〜150℃という温度での作動に適している。さらに、このパイプは比較的安価である。
【０００８】
本発明の他の特性及び利点は以下の記載から明らかとなるであろう。
【発明を実施するための最良の形態】
【０００９】
図面を参照し、本発明のパイプは結合層５により互いに接続した３つの主要な層１、２、及び３を含む多層構造を有する。内部から外側に向かって、内部層１、第１の結合層４、中間層２、第２の結合層５、及び外部層３がある。
【００１０】
内部層１はポリアミド、好ましくはポリアミド６製である。
【００１１】
中間層２はポリアミド及びポリオレフィンをベースとする。この場合、ポリアミドはポリアミド６であり、ポリオレフィンはポリエチレンである。用いられる材料は、例えばAtofinaによりOrgalloyとして製造されたものである。
【００１２】
外部層はポリエーテル−エーテルをベースとする熱可塑性エラストマー材料製である。用いられる材料の例は、TiconaによりRiteflexとして製造されたものである。
【００１３】
第１の結合層４は、内部層１の材料と中間層２の材料に対して接着特性を有する材料より製造される。
【００１４】
第２の結合層５は、中間層２と外部層３に対して接着特性を有する材料より製造される。
【００１５】
結合層４及び５は、中間層３が内部層１の材料及び外部層３の材料に対して十分な接着性がない場合に、パイプに応力が加わった際に層の間に結合性を与えるための所望のものである。
【００１６】
例として、内部層１の厚さは0.2mm〜0.5mmであってよく、第１の結合層４の厚さは約0.1mmであってよく、中間層２の厚さは0.2mm〜0.5mmであってよく、第２の結合層５の厚さは約0.1mmであってよく、そして外部層３の厚さは0.2mm〜0.4mmであってよい。
【００１７】
パイプは同時押出しによって製造され、平滑であっても波形であってもよい。
【００１８】
パイプは車両のどの部位に配置してもよく、特に車両のエンジン室又は車体の下に配置してもよい。
【００１９】
当然のことながら、本発明は上記の態様に制限されず、請求項に規定の本発明の範囲を超えることなく様々に適用可能である。
【００２０】
特に、厚さは例示であり、パイプの直径又は使用条件、例えば流体の圧力によって変えてもよい。
【図面の簡単な説明】
【００２１】
【図１】本発明のパイプを示す断面図である。
【符号の説明】
【００２２】
１    内部層
２    中間層
３    外部層
４    第１の結合層
５    第２の結合層
【図１】
2006076300.tif 000003
(57)【要約】【課題】植物の成育に有効な成分を持つ物質を各種混合して、防虫、除虫性肥料を得ることを目的とする。【解決手段】  トレハロース粉末、貝化石粉末、糖蜜を水分を加えて混合し、籾殻に一定時間に含浸させ、水分を除いて後、米糠を加え、醗酵させて得ることを特徴とする防虫、除虫性肥料の製法、トレハロース粉末、貝化石粉末、糖蜜を水分を加えて混合し、籾殻に一定時間に含浸させ、水分を除いて後、米糠を加え、醗酵させて得ることを特徴とする前記記載の防虫、除虫性肥料、およびトレハロース粉末、貝化石粉末、糖蜜を水分を加えて混合し、籾殻に一定時間に含浸させ、水分を除く際に生ずる残存水分からなる防虫、除虫剤。【特許請求の範囲】
【請求項１】
トレハロース粉末、貝化石粉末、糖蜜を水分を加えて混合し、籾殻に一定時間に含浸させ、水分を除いて後、米糠を加え、醗酵させて得ることを特徴とする防虫、除虫性肥料の製法。
【請求項２】
トレハロース粉末、貝化石粉末、糖蜜を水分を加えて混合し、籾殻に一定時間に含浸させ、水分を除いて後、米糠を加え、醗酵させて得ることを特徴とする請求項１記載の防虫、除虫性肥料。
【請求項３】
トレハロース粉末、貝化石粉末、糖蜜を水分を加えて混合し、籾殻に一定時間に含浸させ、水分を除く際に生ずる残存水分からなる防虫、除虫剤。
【発明の詳細な説明】
【技術分野】
【０００１】  この発明は、野菜、草花、穀類などに施用する防虫、除虫性肥料の製法およびその製品に関するものである。
【背景技術】
【０００２】  食用となる野菜類について、農薬を使用することの危険性については夙に問題化していることであるが、全く肥料を施さず、あるいは防虫対策をとらないで農業栽培を行うことは、専業的には大幅な減収を伴い、不可能に近いことと云わねばならず、それらの対策に苦慮するところである。
【発明の開示】
【発明が解決しようとする課題】
【０００３】  この発明は、植物の成育に有効な成分を持つ物質を各種混合して、画期的な防虫、除虫性肥料を得るものである。
【課題を解決するための手段】
【０００４】  トレハロース粉末、貝化石粉末、糖蜜を水分を加えて混合し、籾殻に一定時間に含浸させ、水分を除いて後、米糠を加え、醗酵させて得ることを特徴とする防虫、除虫性肥料の製法、およびトレハロース粉末、貝化石粉末、糖蜜を水分を加えて混合し、籾殻に一定時間に含浸させ、水分を除いて後、米糠を加え、醗酵させて得ることを特徴とする前記記載の防虫、除虫性肥料、およびトレハロース粉末、貝化石粉末、糖蜜を水分を加えて混合し、籾殻に一定時間に含浸させ、水分を除く際に生ずる残存水分からなる防虫、除虫剤。
【発明の効果】
【０００５】  この発明の防虫、除虫性肥料の主材料として用いる三種の中、トレハロースは生体の生育に必要な有効な成分を持ち、数々の優れた基本物性、機能特性を有するものであり、貝化石粉末は、各種のミネラルが含有されており、土壌改良剤として有効であり、また醗酵を促進し、糖蜜は肥料として有効な物質であり、これら三種の成分がもたらす相乗的効果によって、この発明の防虫、除虫性肥料を栽培使用土に混入することで、従来、除虫ができなかったキャベツ、白菜などの葉菜類に寄生する青虫などを充分に除くことができ、この発明の防虫、除虫性肥料を使用後、それら葉菜類はその葉、茎などを侵されることことがなく、成育が順調となっている（栽培テスト完了済み）。
【発明を実施するための最良の形態】
【０００６】  トレハロース粉末、貝化石粉末、糖蜜を水分を加えて混合し、籾殻に一定時間に含浸させ、水分を除いて後、米糠を加え、醗酵させて得ることを特徴とする防虫、除虫性肥料の製法、およびトレハロース粉末、貝化石粉末、糖蜜を水分を加えて混合し、籾殻に一定時間に含浸させ、水分を除いて後、米糠を加え、醗酵させて得ることを特徴とする前記記載の防虫、除虫性肥料。
【実施例１】
【０００７】  この発明の防虫、除虫性肥料の主材料として、トレハロース［たとえば商品名「トレハ」（粉末状）として、株式会社  林原（岡山市下石井１−２−３所在）より現在販売中］、貝化石粉末［海洋生物が化石化したものの粉末、たとえば商品名「ナチュラル」として株式会社ケー・エム・エー（東京都港区虎ノ門４−１−１１−８０３所在）より現在販売中］、糖蜜の三種を用いる。すなわちトレハロース粉末、貝化石粉末、糖蜜を１：１：２の比率に、必要量（たとえば、１５０リットルの水量に、トレハロース粉末０．５リットル、貝化石粉末０．５リットル、糖蜜１リットル）を調整し、適宜の容器、たとえば合成樹脂性容器中に入れよく混合する。この混合体中に籾殻を網目状の嚢に入れて約７日間程浸漬する。その後、水分を除き、適量の米糠を加えて、好ましくは木製の容器内に入れて、醗酵、発熱の過程に入り、４日目において約６０度Ｃの発熱状態に達し、以後次第に醗酵が進展する。そして約１０日間を経て、籾殻内に醗酵体が充分に含浸させたところの、この発明の防虫、除虫性肥料を得ることができる。
【産業上の利用可能性】
【０００８】  この発明の防虫、除虫性肥料は取り扱いが容易であり、それを栽培使用土に混入することで、従来、除虫ができなかったキャベツ、白菜などの葉菜類に寄生する青虫などを除くことができ、それら葉菜類はその葉、茎などを侵されることことがなく、成育が順調となっているが、草花の肥料としても同様に有効であり、さらに広く穀類などの肥料として、無農薬、有機栽培の一環として有益である。なおまた前述のこの発明の混合体中に、籾殻を網目状の嚢に入れ、必要日数の間浸漬し、その後、水分を除く際に生ずる残存水分を、防虫、除虫剤として、一旦、水で薄めて、作物に応じて適当量、施すことによって、それらの生育に良好な品質とすることにも有効である。
(57)【要約】【課題】公知の中空ガラス或いはガラス表面に酸化チタンを主成分とした光半導体層を塗布した断熱部材では、高温、超高湿時には結露してしまう。【解決手段】改善策として、真空ガラスの透明性及び高断熱性能を利用すると、曇りができることが防止される。また、ガラスを４重にし、真空層以外の層を窒素ガス層とし、乾燥剤を置くことで、より高い効果を発揮する。  この高断熱構成体は、冷凍、高湿庫の扉、建築窓、扉など、広い範囲に利用できる。【参考図】  図１【特許請求の範囲】
【請求項１】
ガラスを主体とした高断熱構成体において、真空ガラスと２重硬化ガラスから構成されることを特徴とする高断熱構成体。
【請求項２】
前記のガラスを主体とした高断熱構成体であって、２重真空ガラスと２重硬化ガラスの４重ガラスで構成され、周りを密閉し気密にしたことを特徴とする請求項１記載の高断熱構成体。
【請求項３】
前記のガラスを主体とした高断熱構成体であって、硬化ガラスと真空ガラスの間にガス層を設けられたことを特徴とする請求項１記載の高断熱構成体。
【請求項４】
前記のガラスを主体とした高断熱構成体であって、硬化ガラスと真空ガラスの間に設けられたガス層が窒素ガスであることを特徴とする請求項３記載の高断熱構成体。
【請求項５】
前記のガラスを主体とした高断熱構成体であって、硬化ガラスと真空ガラスの間に乾燥剤を置いたことを特徴とする請求項１記載の高断熱構成体。
【請求項６】
前記のガラスを主体とした高断熱構成体であって、２重硬化ガラスに突撃に対しての抵抗力を付与したことを特徴とする請求項１記載の高断熱構成体。  
【請求項７】
前記のガラスを主体とした高断熱構成体であって、２重外装ガラスのうち、一層が緩やかなカーブを描き平面ガラスより突撃に対しての抵抗力が強化され、且つ外観性にも優れたことを特徴とする請求項６記載の高断熱構成体。
【請求項８】
前記のガラスを主体とした高断熱構成体であって、２重真空ガラスのうち、少なくとも一層が低放射ガラス（Ｌｏｗ−ｅガラス）であることを特徴とする請求項１記載の高断熱構成体。
【発明の詳細な説明】
【技術分野】
【０００１】
本発明は一種の熱交換部材として、高断熱ガラス構成体に関するものである。
【背景技術】
【０００２】
冷凍・冷蔵庫の扉、高級建築物の扉や窓に利用されてきた断熱ガラスは、中空ガラス、通電ガラス、また、ガラス表面に酸化チタンを主成分とした光半導体を塗布させたものがあった。単層ガラスに比べて断熱性は改善され、防結露性能も良くなったが、温度差が激しくなると結露してしまう。
【０００３】
この改善策として、真空の透明性及び高断熱性能を利用し、その外側の層を窒素層とし、乾燥剤を置くことで、ガラス表面の曇りを防止できる。
従来は非透明真空断熱材があった。（例えば、特許文献１、特許文献２参照）また、扉ガラスの表面に酸化チタンを主成分とした光半導体が塗布されているものがある。（例えば、特許文献３参照）
【特許文献１】特開平６-１４７７４０号広報（解決手段）
【特許文献２】特開２００１−１１６４３７（解決手段）
【特許文献３】特開２０００−８８４４３号広報（解決手段）
【発明の開示】
【発明が解決しようとする課題】
【０００４】
公知のガラスを主体とした高断熱構成体よりも高温、超高湿の環境の中でもガラス表面の結露を防止できる断熱性に優れた構成体の開発である。  
【課題を解決するための手段】
【０００５】
ガラスを主体とした高断熱構成体は、ガラス主体を真空ガラスと２重硬化ガラスで構成し、硬化ガラスと真空ガラスの間を窒素ガス層とし、ガラス周りを気密にし、枠を取り付け一体化させた高断熱材である。ガラス主体は２重真空ガラス、２重硬化ガラスの計４重ガラスで構成する。２重硬化ガラスに突撃に対しての抵抗力を付与する。また、２重硬化ガラスのうち一層は緩やかなカーブを描き、平面ガラスより突撃に対しての抵抗力は大きい。真空ガラスは２重であり、少なくとも一層は低放射ガラス（Ｌｏｗ−ｅガラス）を使用する。更に硬化ガラスと真空ガラスの間の窒素層に乾燥剤を置くことで、乾燥性及び断熱性の安定した効果を実現した。
【０００６】
高断熱構成体は、真空ガラスにより、複層ガラスの断熱性及び防音性を再び改善する。特に、高温、超高湿の環境条件のとき、ガラス表面が結露するのを防止する。この高断熱構成体は、冷蔵、冷凍庫及び、建築窓、扉など広い範囲で利用できる。例えば製パンの領域においては、生地の冷凍、冷蔵、醗酵までの工程をそれ一台で行うことができる機械（ドウコンディショナー）を使用する際、冷凍時に庫内温度はマイナス１９度、醗酵時には４５度、相対湿度は９５パーセントの条件でもこの扉は両面共に結露しないので、パン職人達が扉を通して、庫内生地の変化を鮮明に見ることができる。
【発明を実施するための最良の形態】
【０００７】
本発明のガラスを主体（１３）とした高断熱構成体は、枠（１４）及びガラス主体（１３）、ガラス主体（１３）は真空ガラス（４）（５）（１０）と２重硬化ガラス（１）（８）で構成され、２重硬化ガラスのうち一層（１）が緩やかなカーブを描き平面ガラスより突撃に対しての抵抗力が強化されている。また、真空ガラス（４）（５）（１０）のうち少なくとも一層には低放射ガラス（Ｌｏｗ−ｅガラス）（４）を使用し、真空層（１０）の間の支え（１２）にはできるだけ見通しの良いものを使用する。硬化ガラス（１）（８）は真空ガラス（４）（５）（１０）の両側に置き、両ガラスの間は窒素ガス層（９）（１１）とし、ガラス周りはラテックス（２）（６）等で密閉し、一体化させたものである。２重真空ガラス（４）（５）（１０）及び２重硬化ガラス（１）（８）を含めて、実際にガラス構成体（１３）は４重ガラスで構成される。２重硬化ガラス（１）（８）全体に、突撃に対しての抵抗力を付与する。空気層（９）（１１）に乾燥剤（３）（７）を置くことで、乾燥性及び断熱性の安定した効果を実現した。
【図面の簡単な説明】
【０００８】
【図１】高断熱透明ガラス扉拡大構造図
【図２】高断熱透明ガラス扉全体図
【符号の説明】
【０００９】
１外部硬化ガラス
２機密性ラテックス
３乾燥剤
４真空ガラス
５真空ガラス
６気密性ラテックス
７乾燥剤
８外部硬化ガラス
９窒素層
１０真空層
１１窒素層
１２真空層の支え
１３高断熱透明ガラス構成体
１４高断熱透明ガラス構成体の枠
【図１】
2006076806.tif 000002
【図２】
2006076806.tif 000003
(57)【要約】【課題】  不使用時の占有スペースをできるだけ少なくすると共に、衛生的な保持ができるようにすることにある。【解決手段】  漏斗体は軟質樹脂で成形され、逆錐台筒形状の漏斗部２下端に筒形状の注出部３を連通設し、漏斗部２と注出部３の連続部外周に周溝４を設け、この周溝部４で漏斗部２を反転変形自在としたことを特徴とする構成、ホルダーは、漏斗体１の漏斗部２を反転変形させた不使用時の姿勢で、壁等に固定されるベース板６に、漏斗体１の注出部３が嵌入する保持ピン７を立設したことを特徴とする構成である。【選択図】        図１
2006076632.tif 000002
【特許請求の範囲】
【請求項１】
軟質樹脂で成形され、逆錐台筒形状の漏斗部（２）下端に筒形状の注出部（３）を連通設し、前記漏斗部（２）と注出部（３）の連続部外周に周溝（４）を設け、該周溝部（４）で前記漏斗部（２）を反転変形自在としたことを特徴とする漏斗体。
【請求項２】
漏斗部（２）を反転変形させた姿勢の請求項１に記載の漏斗体（１）を保持するホルダーであって、壁等に固定されるベース板（６）に、漏斗体（１）の注出部（３）が嵌入する保持ピン（７）を立設したことを特徴とするホルダー。
【発明の詳細な説明】
【技術分野】
【０００１】
本発明は、液体を所定の容器等に移し換える際に使用する漏斗体と、不使用時にこの漏斗体を保持するホルダーに関する。
【背景技術】
【０００２】
液体を小口径の容器等に移し換えるのに漏斗体が使用される。周知のようにこの漏斗体は、逆錐台筒形状の漏斗部下端に筒形状の注出部を連通設した構成で、容器の口筒等に注出部を差し込み、漏斗部に液体を流し込んで液体を注出部を介して容器内に漏れなく注入するものである。
【０００３】
しかしながらこの構造は不規則形状であるため不使用時には邪魔になるもので、取り扱いにくかった。或いは、使用直後には残留液が垂れて不衛生でもある。このような要請に鑑みて、従来より例えば下記文献にかかる発明が提案されてきている。
【特許文献１】特開２００３−７２８９１号公報
【特許文献２】特開２００２−１０４５８８号公報
【発明の開示】
【発明が解決しようとする課題】
【０００４】
上記文献１で開示された発明は「折畳み式」の「じょうご」であるが、一枚のシートを折り曲げて一辺を加熱融着して構成するものであり、折畳み線や融着部線は直線的にならざるを得ないので組み立てられたじょうごは角張ったものになり、特に壜体の口筒に排出部を差し込む場合には入れにくく、また、筒状の排出部が供給部の中心に対して位置ずれ偏心しているので、口筒に挿入して供給部に液体を注入した場合に重量のバランスがとれず、ぐらついたり壜体が倒れる虞れがあり、注入時には常にじょうご全体を保持していなければならない。
【０００５】
或いは、使用後は、衛生面よりして残留液滴や洗浄液滴を乾燥させなければ折り畳むことができないので、その間、形状的に嵩張る邪魔なものになる。
【０００６】
また、上記文献２で開示された発明は「スタンド付き」の「漏斗」であるが、ここでのスタンドは液体の注入時に漏斗を支持するためのもので、漏斗の不使用時に用いるものではない。
【０００７】
よって本発明は、上述した従来技術の欠点、不都合、不満を解消するべく開発された漏斗体とそのホルダーであって、不使用時の占有スペースをできるだけ少なくすると共に、衛生的な保持が達成できるようにすることを目的とする。
【課題を解決するための手段】
【０００８】
上記課題を解決するため、本発明の漏斗体は、軟質樹脂で成形され、逆錐台筒形状の漏斗部下端に筒形状の注出部を連通設し、前記した漏斗部と注出部の連続部外周に周溝を設け、この周溝部で前記した漏斗部を反転変形自在としたことを特徴とする構成である。
【０００９】
また、本発明のホルダーは、漏斗部を反転変形させた姿勢の前記した漏斗体を保持するホルダーであって、壁等に固定されるベース板に、漏斗体の注出部が嵌入する保持ピンを立設したことを特徴とする構成である。
【発明の効果】
【００１０】
よって本発明の漏斗体によれば、漏斗としての通常形態では、注出部を壜体の口筒等に挿入した姿勢で漏斗部に液体を注ぎ込むことにより、この液体を壜体内に漏らすことなく注入することができ、しかも漏斗体は軟質樹脂で成形されているので注出部を壜体等の口筒に挿入した際に摩擦抵抗が生じてぐらつかず、手を副えなくても液体の注入操作ができる。そして不使用時には、周溝部で漏斗部を反転変形させることにより、コンパクトな形態にすることができるのである。
【００１１】
また本発明のホルダーによれば、漏斗体に於ける漏斗部を反転変形させた姿勢で、漏斗体の注出部を保持ピンに嵌入することにより漏斗体を保持することができ、ベース板を壁等に固定することによって、邪魔にならず、乾燥させながら衛生的に保管することができる等、多くの優れた作用効果を奏する。
【発明を実施するための最良の形態】
【００１２】
以下、本発明の漏斗体とホルダーとを実現するための最良の形態を図面に従って説明するならば、本発明の漏斗体１は、シリコン、ゴム、合成樹脂等の軟質樹脂で成形され、逆円錐台筒形状の漏斗部２の下端に、下方にいくに従って縮径となった円筒形状の注出部３を連通設し、漏斗部２と注出部３の連続部の外周に周溝４を設けた構成である。
【００１３】
従って、この周溝４部分で漏斗部３を反転変形自在にすることができ、筒形状の注出部３は、円錐台筒形状の漏斗部２内に位置することになる。
【００１４】
また、本発明のホルダー５は、壁等に固定されるベース板６に、漏斗部２を反転変形させた姿勢の漏斗体１の注出部３が嵌入する保持ピン７を立設した構成である。
【実施例１】
【００１５】
漏斗部２と注出部３の外面には、軸方向に沿って複数の縦溝８が等間隔に設けられている。液体の注入時に壜体等の口筒に注出部３を挿入して接触させ、或いは広口壜の場合に漏斗部２を口筒に乗載させると、漏斗部２に液体を充填した状態では壜体内はほぼ気密状態になるので、液体が流入しにくくなる。そこで、この際に壜体内の空気を円滑に外部に抜くことができるように、空気流通路として前記縦溝８を設けたものである。
【００１６】
更に、ホルダー５を壁等に固定する手段として、ベース板６を吸盤形態にすると良いであろう。
【図面の簡単な説明】
【００１７】
【図１】本発明にかかる漏斗体の、（ａ）は使用状態の、（ｂ）は反転変形状態の半断面図である。
【図２】漏斗体の斜視図である。
【図３】反転変形状態とした漏斗体を壁に固定したホルダーに保持させようとする姿勢の斜視図である。
【符号の説明】
【００１８】
１    漏斗体
２    漏斗部
３    注出部
４    周溝
５    ホルダー
６    ベース板
７    保持ピン
８    縦溝
【図１】
2006076632.tif 000003
【図２】
2006076632.tif 000004
【図３】
2006076632.tif 000005
(57)【要約】【課題】  レトルト食品の袋を手で開封しやすくするとともに、開封した袋の口を下に向けて、内容物を落とし出した状態で、袋の上部にはさみこみ、下に引きおろすことによって袋に残った内容物を効率的に袋から押し出すことのできる、構造が簡単で洗浄しやすい搾り出し道具を提供する。【解決手段】  二本の棒の側面が吸着しあうように二本の棒にそれぞれ磁石を取り付け、磁石をもうけた二本の棒の先端部を合わせた際には棒の側面全体が接触し合った状態を保ち、二本の棒の先端部を引き離した際には、二本の棒が離れた状態を保てるように、二本の棒の端末どうしを折り曲げたバネ板で連結したレトルト食品袋搾り出し道具。【選択図】      図１
2006076649.tif 000002
【特許請求の範囲】
【請求項１】
二本の棒の側面が吸着しあうように二本の棒にそれぞれ磁石を取り付け、磁石を設けた二本の棒の先端部を合わせた際には棒の側面全体が接触し合った状態を保ち、二本の棒の先端部を引き離した時には、二本の棒が離れた状態を保てるように、二本の棒の端末どうしを折り曲げたバネ板で連結したレトルト食品袋搾り出し道具。
【発明の詳細な説明】
【技術分野】
【０００１】  本発明はレトルト食品の袋から内容物を効率よく搾り出すための道具である。
【背景技術】
【０００２】  暖めたレトルト食品の袋を開封後、逆さにして内容物を出した際に、袋内部に付着した残余物は、スプーンなどで袋からかき出すか、あるいは指先や二本の箸などで袋をはさみこんで搾りだす必要があった。【０００３】  また、インスタント食品に付属している、味噌など粘度の高い調味料は袋を逆さにしても内容物が出ないので、指や箸等を使って搾りだす必要があった。【０００４】  丸棒をそわせた鋏を使ってレトルト食品袋を開封し、丸棒と鋏の背部分間の間隙に開封したレトルト食品袋の底の一端を挟み込んで引っ張りながら内容物を押し出す形式の鋏が一般に市販されているが、間隙が一定なので薄い袋などは十分はさみ込むことができず、内容物が付着した際に洗浄するのがめんどうである。
【発明の開示】
【発明が解決しようとする課題】
【０００５】  本発明は、切り口のついたレトルト食品袋を開封しやすくするとともに、開封したレトルト食品の袋の口を下に向けて、内容物を落とし出した状態で、袋の上部にはさみこみ、下に引きおろすことによって袋に残った内容物を効率的に袋から押し出すことのできる、構造が簡単で洗浄しやすい搾り出し道具を提供しようとするものである。
【課題を解決するための手段】
【０００６】  上記目的を達成するために、折り曲げたバネ板で連結され、磁石の力によって相互に吸引される二本のはさみ棒からなる道具を発明した。【０００７】  この二本のはさみ棒の先端部と中央部には、棒の側面が相互に引き合うように、それぞれの棒の対応する場所に、小さな磁石を埋め込んであり、二本の棒の手元側端末は、丸く折り曲げたバネ板によって、棒の先端部をあわせたとき、棒の長さ全体が相互に接触し合い、先端部を離したときには棒全体が離れた状態を維持できるような角度を保ってつなぎ合わされている。【０００８】  この二本のはさみ棒でレトルト食品袋の切り口の下をはさみこみ、棒の縁に沿って袋を開封し、棒をはずして開封した袋を逆さにして内容物を落とした状態で、再度、袋の上部をはさみ棒ではさんで下方に引きおろして内容物を搾り出す。
【発明の効果】
【０００９】  二本のはさみ棒には相互に引き合う磁石が埋め込まれているので、簡単な片手の指操作によって、レトルト袋の必要な部分を的確にはさみこむことができ、はさみ棒から手を離してもはさんだ状態を維持しているので、搾り出し操作がし易い。【００１０】  例えば、はさみ棒が袋の取り出し口に近くなると、少しずつ搾りだす必要があるが、はさみ棒から手を離して、両手の親指と中指で袋の両端を持ち、両手の人差し指の背ではさみ棒を押すことによって、取り出し口に向かって方向を変えながら徐々に搾りだすことができる。【００１１】  このような搾り出し道具は袋の出口付近で内容物に接触することによって汚れやすいが、はさみ棒、磁石とバネ板はプラスチックで一体的に被われ、もしくは一体成型されていて、複雑な凹凸が無いので、箸などと同様に簡単に洗浄できる。
【発明を実施するための最良の形態】
【００１２】  発明を実施するための最良の形態を実施例にもとづき図面を参照して説明する。
（イ）二本のはさみ棒（１）は、棒と一体となったバネ板（２）で連結されており、開いた際には棒全体がお互いに離れ（図１）、閉じた際には棒の側面が全長にわたって接触し合った状態を維持できるようになっている。
（ロ）二本のはさみ棒の先端部と中央部のそれぞれ対応する位置に、それぞれの棒の対面する側面がお互いに引き合うように磁石（３）がはめ込まれている。
（ハ）はさみ棒の先端部にくぼみ（４）を設け、くぼみの両側に穴をあけておき、穴のあいた磁石（３）をくぼみにはめ込み、保持棒（５）を両方の穴に通して磁石を固定する。
（ニ）はさみ棒の中央部にも同様にして磁石をとりつけ、磁石と保持棒の外部に露出している面は、はさみ棒表面とともにプラスチックで被覆する。
（ホ）はさみ棒の、食品袋に接する面の両側の角は、すべりやすくするために丸み（６）をつけてあるが、棒の手元側では、袋の周辺部を切り取りやすくするために、角（７）を残してある。【００１３】  右手の親指と人差し指の間で、はさみ棒を重ねて持ち（図３）、親指を人差し指の付け根の方に押して、重なっているはさみ棒をずらすと（図４）、バネ板の力ではさみ棒が開き、開いたはさみ棒の外側の両側面を親指と人差し指で同時に、はさむように押せば、はさみ棒は閉じる。【００１４】  レトルト食品袋の端には手で切り裂くための切り口がついているが、はさみ棒をこの切り口に添わせてはさみ、はさみ棒をしっかりおさえながら、切り口から上の袋の端を、はさみ棒に直角に手前の方にひっぱり、はさみ棒にそって袋の端を切り裂いて開封する。【００１５】  はさみ棒を袋からはずし、開封した袋を逆さにして内容物を出した状態で、片方の手で袋の底部端を持ち、もう一方の手ではさみ棒を持って、上側にある袋の底部付近をはさみ棒ではさみ、はさみ棒を袋にそって下にすべらせ、袋内部の残余物を搾りだす。【００１６】  袋の出口付近では、はさみ棒から手を離し、両手で袋の両端を保持しながら、人差し指ではさみ棒の側面を押し下げることによって（図５）、はさみ棒の方向を調節しながら少しずつ搾り出すこともできる。
【図面の簡単な説明】
【００１７】
【図１】本発明の斜視図
【図２】磁石取り付け図
【図３】はさみ棒の閉じた状態
【図４】はさみ棒をずらした状態
【図５】両手を使った搾り出し状態
【符号の説明】
【００１８】１  はさみ棒
２  折り曲げたバネ板
３  磁石
４  はさみ棒のくぼみ
５  保持棒
６  丸みをつけた接触面縁端部
７  角を残した接触面縁端部
８  開封したレトルト食品袋
【図１】
2006076649.tif 000003
【図２】
2006076649.tif 000004
【図３】
2006076649.tif 000005
【図４】
2006076649.tif 000006
【図５】
2006076649.tif 000007
(57)【要約】【課題】  従来の、ペットボトルや、アルミ缶や、おなじような、形をした、容器のふたや、シャンプーなどのふたや、ふたといったいになったものについても、について、おなじような、形のふたしか、利用されてこなかった。【解決手段】  このような、ことから、ペットボトルやアルミ缶や、ペットボトルのような、形をした容器や、アルミ缶のような、形をした容器などやシャンプーなどの容器について、さまざまな、おおきさや、形や色などの、ふたやふたといったいになったものを、新たに、発明して、利用できるようにした。又、方法としても、利用できるようにした。【選択図】      図１
2006076655.tif 000002
【特許請求の範囲】
【請求項１】
食品などに利用される、さまざまな、おおきさや、形や、色などの、ペットボトルや、ペットボトルのような、形をした、容器などのについて、飲料水その他などの目的や、用途などに、利用されるものの、ふたについて、さまざまな、おおきさや、形などの、ふたをつくることにより、従来の形とは、ちがうものを、利用できるようにした。又、方法としても、利用できるようにした。
【請求項２】
食品などに、利用するさまざまな、おおきさや、形や、色などのアルミ缶やアルミ容器のふたについて、ものについて、ふたに、さまざまなおおきさや、形の、ふたを、利用できるようにした。又、方法としても、利用できるようにした。
【請求項３】
家庭用や商業用や工業用や医療用や衛生用や農業用や園芸用や産業用やその他などで、使用される、さまざまな、ペットボトルやアルミ缶や、さまざまな、アルミ容器やさまざまな、ペットボトルのようなものや、さまざまな、ペットボトルの形をした、容器や、さまざまな、アルミ缶のようなものや、アルミ缶の形をしたものについて、さまざまな、おおきさや、形や色などにしたふたを、従来からの、同じような、形のふたを、さまざまな、おおきさや、形にして、新しい感覚の、ふたを、発明した。又、方法としても、利用できるようにした。
【請求項４】
シャンプーやリンスなどの、洗髪剤などや、ボディソープなどの、洗剤などの容器の、ふたや、ふたといったいになったものに、さまざまな、おおきさや、形や、色などの、ふたを、利用できるようにした。又、方法としても、利用できるようにした。
【請求項５】
農業用や園芸用などの、さまざまな、おおきさや、形や、色などの容器のふたについても、さまざまな、おおきさや、形や、色などについても、ふたを、利用できるようにした。又、方法としても、利用できるようにした。
【請求項６】
ペット用やその他や産業用などとして、ひろく使用される、容器のふたについても、利用できるようにした。
【発明の詳細な説明】
【技術分野】
【０００１】  本発明は、飲料水などのものや、食品やその他の容器に、利用される、ふたについて、デザインとして、ふたをさまざまな、おおきさや形にしたものに、関する。
【背景技術】
【０００２】  従来の、飲料水用やその他の容器のふたは、まるい形状のようなものしか、利用されていませんでした。【０００３】  以下、図５図６  により、従来の容器のふたを、説明する。【０００４】
【特許文献１】
【非特許文献】
【発明の開示】
【発明が解決しようとする課題】
【０００５】  以上に述べたように、従来のふたは、デザイン的として、さまざまな、おおきさや形のものを、つくり、最初から、販売用などやその他として、容器のふたや、ふたといったいになったものが、デザイン的を意識して、利用されてこなかった。
【課題を解決するための手段】
【０００６】  従来の、ふたやふたといったいになったものを、意匠的にさまざまな、おおきさや形のふたやふたといったいになったものを、利用できるようにするため、ふたやふたといったいになったものを、さまざまな、デザインとして、さまざまな、おおきさや、形などにできるようにする。又、ふたやふたといったいになったものの数は、いろいろな数や、さまざまな位置のふたについても、おなじようにできるようにした。
【発明の効果】
【０００７】  上述したように、本発明のふたは、デザイン的として、新たなものとなり、新しい感覚のものが提供できるようになった。
【発明を実施するための最良の形態】
【０００８】  本発明の、ふたやふたといったいになったものを、を従来のふたやふたといったいになったもののように、さまざまな場所において、利用できるようにする。
【産業上の利用可能性】
【０００９】  本発明のふたやふたといったいとなったものは、従来の飲料水やその他に利用など、される容器のふたやふたといったいになったもののように、利用できるようになり、又、新しいデザインの容器として、家庭用や商業用や工業用などに利用できるようになのり、消費者に対しても、新しい感覚のものが提供できるようになった。
【図面の簡単な説明】
【００１０】
【図１】  本発明の実態を示す、容器
【図２】  本発明の実態を示す、容器
【図３】  本発明の実態を示す、容器
【図４】  本発明の実態を示す、容器
【図５】  従来の容器
【図６】  従来の容器
【符号の説明】
【００１２】  １      本発明のふた
２      容器
３      本発明のふた
４      容器
５      本発明のふた
６      容器
７      本発明のふた
８      容器
９      容器
１０    容器
【図１】
2006076655.tif 000003
【図２】
2006076655.tif 000004
【図３】
2006076655.tif 000005
【図４】
2006076655.tif 000006
【図５】
2006076655.tif 000007
【図６】
2006076655.tif 000008
(57)【要約】      （修正有）【課題】ダンボール箱のフタを、テープなどの留め具を使わずに閉めることが出来て、フタを閉めた後、その箱を片手で運んでも、箱が変形しない様なダンボール箱を提供する。【解決手段】ダンボール箱のフタを折り曲げた時、となりどうしのフタが組み合うようにフタの角の部分に切り込みを入れた。フタどうしを組ませ、フタをした後、片手で持っても箱が変形しにくい場所に持ち運び用の、手の入る穴を開けた。【選択図】図２
2006076651.tif 000002
【特許請求の範囲】
【請求項１】
ダンボール箱のフタの部分に切り込みを入れた段ボール箱で、フタを折り重ねた後に、フタの一部を引き上げることにより、重なったフタどうしを絡ませ、開かないようにロック出来るダンボール箱。
【請求項２】
請求項１記載の段ボール箱で、フタをした後に片手で持ち運びが出来るように、フタの重なった部分に指が入るように穴が開いているダンボール箱
【発明の詳細な説明】
【技術分野】
【０００１】本発明はダンボール箱に関する。
【背景技術】
【０００２】従来の一般的なダンボール箱は、フタをする際に、テープやステープルを使用しフタが開かないようにしていた。又フタを、井げたに組んだとしても、閉めにくく、運搬中ダンボール箱の形状が変形しやすい。
【発明の開示】
【発明が解決しようとする課題】
【０００３】ダンボール箱のフタを閉じる際、テープやステープルを使わずに簡単にフタを閉じることが出来る。その箱を片手で持つことが出来、片手で運んでも、箱が変形しないような段ボール箱であるようにする。
【課題を解決するための手段】
【０００４】ダンボール箱のフタの角の部分に、隣どうしのフタが組めるように切り込みを入れた。フタを折り曲げ、フタが重なったら、上にあるフタを抑えながら、下になっているフタを引き上げ、フタの切り込みどうしを組ませた。【０００５】片手で持ち運びが出来るように、フタの重なった部分に手の指が入る穴を、あらかじめ開けておく。
【発明の効果】
【０００６】本発明のダンボール箱を使えば、ダンボール箱に物を入れ終わったと同時に容易にフタをする事が出来る。【０００７】フタを閉めた後も、フタの部分に持ち運び用の、穴が開いているため指を入れ片手で運ぶことが出来る。
【発明を実施するための最良の形態】
【０００８】実施、以下の形態を図面に基づき詳細に説明する。【０００９】図２は、本発明のダンボールの箱になる前の展開図。
図１は、図２のダンボールを組み立て、箱にして底の部分を留めた状態の、正面図と側面図。【００１０】  図２のように、ダンボールをカットする段階で
１ａ，１ｂのフタの角の部分に、およそ１ｃｍの幅でＬ字型に切り込みを入れる。
２ａ，２ｂ、の部分に、楕円形のカットを入れる。大きさは、指四本が入る程度。
【産業上の利用可能性】
【００１１】  本発明のダンボール箱は、野菜など食べ物の出荷用の箱として威力を発揮すると思われる。
野菜など食べ物を箱へ入れ、フタをする際、金属のステープルなどを使うと、フタを開けた時、ステープルの金属片が食べ物に混入する危険があるので、出来れば使いたくない。
テープで止めればよいのだが、作業制が悪く、天候により使えない時もある。
本発明のダンボール箱を使うことで、作業制が向上する。
箱の中に物を入れ終え、そのまま道具を使わず、フタをすることが出来る。
フタどうしを組ませることにより、箱の強度が増し、運搬中も箱が変形しにくい。
片手で持つための穴を開けてあるので、両手で二つ持つことが出来る。
【図面の簡単な説明】
【００１２】
【図１】本発明の段ボール箱のフタをする前の、正面図と側面図。
【図２】ダンボール箱を組み立てる前の展開図。
【符号の説明】
【００１３】１ａ            長いフタの部分の切り込み
１ｂ            短いフタの部分の切り込み
２ａ、２ｂ      手を入れるための穴
【図１】
2006076651.tif 000003
【図２】
2006076651.tif 000004